(57)【特許請求の範囲】
【請求項１】
ネジ穴（１１）を備え、前記ネジ穴（１１）の開口端部に外方に向って拡径する円錐面（１２）を有するネジ穴部材（１）と、頭部（２１）と前記頭部（２１）の一端面側から伸びる軸部（２２）とを備え、前記軸部（２２）の外周面は、前記頭部（２１）側からネジを設けていない外周面（２２１）と、前記外周面（２２１）の一端側からネジを設けたネジ部（２２２）とを有するネジ部材（２）と、前記ネジ穴（１１）に前記ネジ部材（２）を締着した際に、前記円錐面（１２）、前記外周面（２２１）及び前記頭部（２１）の一端面により囲まれる環状空間（３）内に配置されるゴム状弾性材製ガスケット（４）とよりなるネジ部材の締着部構造において、
前記ガスケット（４）が、内周面側の一つの弧と外周面側の一つの弦から構成される外形を具備する断面であって、前記外周面側の一つの弦に相当する環状面（４１）を備え、前記環状面（４１）の最小外径（Ｘ）が、前記ネジ穴（１１）の開口端部の角部（１３）の直径（Ｙ）と等しいかそれよりも小さく、前記円錐面（１２）の最小径（Ｚ）より大きいことを特徴とするネジ部材の締着部構造。
【請求項２】
前記環状面（４１）が、ガスケット（４）の頂部（４２）より外径側に存在することを特徴とする請求項１記載のネジ部材の締着部構造。
【請求項３】
前記環状面（４１）が、前記円錐面（１２）と相似形状の円錐面に形成されていることを特徴とする請求項１または２記載のネジ部材の締着部構造。
【発明の詳細な説明】
【技術分野】
【０００１】
本発明は、ネジ部材の締着部構造に関するものである。
また、ネジ部に設けたテーパ溝内に使用されるネジ部材の締着部構造に関する。
【０００２】
更に詳しくは、ＪＩＳ  Ｂ  ２３５１のネジ部に設けたテーパ溝内に使用して有益なネジ部材の締着部構造に関する。
【背景技術】
【０００３】
従来、ネジ部に設けたテーパ溝内に使用されるネジ部材の締着部構造としては、図５に示す構造のものが提案された。
【０００４】
すなわち、従来のネジ部材の締着部構造は、ネジ穴１１を備え、このネジ穴１１の開口端部に外方に向って拡径する円錐面１２を有するネジ穴部材１と、頭部２１とこの頭部２１の一端面側から伸びる軸部２２とを備え、この軸部２２の外周面は、頭部２１側からネジを設けていない外周面２２１と、この外周面２２１の一端側（図上下端側）からネジを設けたネジ部２２２とを有するネジ部材２と、ネジ穴１１にネジ部材２を締着した際に、円錐面１２、外周面２２１及び頭部２１の一端面により囲まれる環状空間３内に配置されるゴム状弾性材製のＯリング状ガスケット４０とより構成されている。
【０００５】
しかし、この種Ｏリング状ガスケット４０は、ネジ穴１１にネジ部材２を締着する際に、図６に示す様に、ネジ穴１１の開口端部の角部１３に当接し損傷を受ける問題を惹起した。
【０００６】
また、この種Ｏリング状ガスケット４０は、ネジ穴１１にネジ部材２を締着する際に、図７に示す様に、ネジ部材２の回転力や、Ｏリング状ガスケット４０と頭部２１との摩擦力等の影響で環状空間３内に収まらず、一部が環状空間３の外にはみ出す問題を招来した。
【先行技術文献】
【特許文献】
【０００７】
【特許文献１】特開２００６−３２２４６９号公報
【発明の概要】
【発明が解決しようとする課題】
【０００８】
本発明は以上の点に鑑みて、ネジ穴にネジ部材を締着する際に、ゴム状弾性材製ガスケットが損傷を受けたり、ガスケットの一部が配置されるべき環状空間から外にはみ出す事を効果的に回避出来る、密封性が良好なネジ部材の締着部構造を提供することを目的とする。
【課題を解決するための手段】
【０００９】
上記目的を達成するために本発明にあっては、ネジ穴を備え、前記ネジ穴の開口端部に外方に向って拡径する円錐面を有するネジ穴部材と、頭部と前記頭部の一端面側から伸びる軸部とを備え、前記軸部の外周面は、前記頭部側からネジを設けていない外周面と、前記外周面の一端側からネジを設けたネジ部とを有するネジ部材と、前記ネジ穴に前記ネジ部材を締着した際に、前記円錐面、前記外周面及び前記頭部の一端面により囲まれる環状空間内に配置されるゴム状弾性材製ガスケットとよりなるネジ部材の締着部構造において、前記ガスケットが、内周面側の一つの弧と外周面側の一つの弦から構成される外形を具備する断面であって、前記外周面側の一つの弦に相当する環状面を備え、前記環状面の最小外径が、前記ネジ穴の開口端部の角部の直径と等しいかそれよりも小さく、前記円錐面の最小径より大きい構成としている。
【発明の効果】
【００１０】
本発明は、以下に記載されるような効果を奏する。
請求項１記載の発明のネジ部材の締着部構造によれば、ガスケットが、円形断面の外周面側を切欠いた断面が直線状の環状面を備える構成としている為、ネジ穴にネジ部材を締着する際に、ゴム状弾性材製ガスケットが損傷を受けたり、ガスケットの一部が配置されるべき環状空間から外にはみ出す事を効果的に回避出来るものであって、環状面の最小外径が、ネジ穴の開口端部の角部の直径と等しいかそれよりも小さく、円錐面の最小径より大きくしている為、ガスケットがより円滑に環状空間内に収まり、ガスケットの損傷をより効果的に阻止出来る。
【００１１】
更に、請求項２記載の発明のネジ部材の締着部構造によれば、環状面が、ガスケットの頂部より外径側に存在する構成としている為、Ｏリング形状の本来のガスケット機能を損なう事無く、密封性がより良好なネジ部材の締着部用ガスケットを提供する事が出来る。
更に、請求項３記載の発明のネジ部材の締着部構造によれば、環状面が、円錐面と相似形状の円錐面に形成されている為、ガスケットがより円滑に環状空間内に収まると共に、環状面が円錐面とより広い面で接触する事により、ガスケットのねじれをより効果的に回避出来る。
【図面の簡単な説明】
【００１２】
【図１】本発明に係るネジ部材の締着部構造の縦断面図。
【図２】図１のガスケットをネジ部材の締着部に装着し、締着途中の縦断面図。
【図３】図２の状態からネジ部材を完全に締着した状態の縦断面図。
【図４】本発明に係る他のネジ部材の締着部構造の縦断面図。
【図５】従来技術に係るＯリング状ガスケットを装着し、ネジ部材を完全に締着した状態の縦断面図。
【図６】従来技術に係るＯリング状ガスケットの締着途中の不具合の一例を示す縦断面図。
【図７】従来技術に係るＯリング状ガスケットの締着途中の不具合の他の例を示す縦断面図。
【発明を実施するための形態】
【００１３】
以下、本発明を実施するための形態について説明する。
図１乃至図３に基づき本発明に係る実施の形態について説明する。
【００１４】
本発明のネジ部材の締着部構造は、ネジ穴１１を備え、このネジ穴１１の開口端部に外方に向って拡径する円錐面１２を有するネジ穴部材１と、頭部２１とこの頭部２１の一端面側から伸びる軸部２２とを備え、軸部２２の外周面は、頭部２１側からネジを設けていない外周面２２１と、この外周面２２１の一端側からネジを設けたネジ部２２２とを有するネジ部材２と、ネジ穴１１にネジ部材２を締着した際に、円錐面１２、外周面２２１及び頭部２１の一端面により囲まれる環状空間３内に配置されるゴム状弾性材製ガスケット４とにより構成されている。
【００１５】
そして、このガスケット４は、内周面側の一つの弧と外周面側の一つの弦から構成される外形を具備する断面であって、前記外周面側の一つの弦に相当する環状面４１を備えている。
すなわち環状面４１は、円筒形状を成している
【００１６】
この様な構成としている為、ネジ穴１１にネジ部材２を締着する際に、ゴム状弾性材製ガスケット４が損傷を受けたり、ガスケット４の一部が配置されるべき環状空間３から外にはみ出す事を効果的に回避出来る、密封性が良好なネジ部材２の締着部構造を提供する事が出来る。
【００１７】
これは、ネジ穴１１の開口端部の角部１３に当接し損傷を受けるガスケット４の外周側が切除されて存在しない事、及び環状面４１が円錐面１２と広い面で接する為、ガスケット４のねじれをより効果的に回避出来る事に起因している。
【００１８】
また、環状面４１の外径Ｘは、ネジ穴１１の開口端部の角部１３の直径Ｙと等しいかそれよりも小さく、円錐面１２の最小径Ｚより大きく設計されている。
【００１９】
この為、ガスケット４がより円滑に環状空間３内に収まり、ガスケット４の損傷をより効果的に阻止出来ると共に、ガスケット４が環状空間３内で安定した密封機能を発揮出来る。
【００２０】
更に、環状面４１は、ガスケット４の頂部４２より外径側に存在する構成としている。
より具体的には、環状面４１を形成するために切欠かれる量は、円形断面のガスケット４の断面積の半分より少ない事を意味する。
【００２１】
この様な構成としている為、Ｏリング形状の本来のガスケット４の機能を損なう事無く、密封性がより良好なネジ部材の締着部構造を提供する事が出来る。
【００２２】
ついで、図４に基づき本発明に係る他の実施の形態について説明する。
上述した実施の形態と相違する点は、環状面４１が、円筒形状では無く、円錐面１２と相似形状の円錐面に形成されていることである。
【００２３】
そして、この環状面４１の最小外径Ｘ（図上下端側）は、ネジ穴１１の開口端部の角部１３の直径Ｙと等しいかそれよりも小さく、円錐面１２の最小径Ｚより大きくしている為、ガスケット４がより円滑に環状空間３内に収まり、ガスケット４の損傷をより効果的に阻止出来る。
更に、環状面４１が円錐面１２とより広い面で接触する事により、ガスケット４のねじれをより効果的に回避出来る。
【００２４】
本発明で使用されるネジ部材の締着部用ガスケット４の材質は、ＦＫＭ、シリコーンゴム、ＥＰＤＭ、ニトリルゴム、アクリルゴム、ＨＮＢＲ等の各種のゴム状弾性体を適宜選択して使用出来る。
【００２５】
また、本発明は上述の発明を実施するための最良の形態に限らず、本発明の要旨を逸脱することなくその他種々の構成を採り得ることはもちろんである。
【産業上の利用可能性】
【００２６】
ＪＩＳ  Ｂ  ２３５１のネジ部に設けたテーパ溝内に使用して有益である。
【符号の説明】
【００２７】
１    ネジ穴部材
２    ネジ部材
３    環状空間
４    ガスケット
１１  ネジ穴
１２  円錐面
１３  角部
２１  頭部
２２  軸部
４１  環状面
４２  頂部
２２１外周面
２２２ネジ部
【図１】
0006024945.tif 000002
【図２】
0006024945.tif 000003
【図３】
0006024945.tif 000004
【図４】
0006024945.tif 000005
【図５】
0006024945.tif 000006
【図６】
0006024945.tif 000007
【図７】
0006024945.tif 000008